(57)【要約】【課題】Ｉｄｌｅ状態の移動機に対しても、正確な位置情報の取得を可能とすることを目的とする。【解決手段】無線通信システムの保守管理装置は、移動機の加入者識別子とページングフラグを有効に設定して呼処理制御装置に対して在圏セル情報の取得要求を送信する。呼処理制御装置は、移動機がＩｄｌｅ状態で、ページングフラグが有効に設定されている場合、移動機へページングメッセージを送信し応答メッセージを返信させる。呼処理制御装置は、ページングメッセージの応答メッセージを送信してきたセルを移動機の在圏セル情報として保守管理装置へ通知する。【選択図】  図６
2011166639.tif 000002
【特許請求の範囲】
【請求項１】
移動機と無線回線により通信を行なう複数の基地局と、前記複数の基地局と接続され前記移動機に対する通信回線接続の制御を行なう呼接続制御装置と、前記複数の基地局および呼処理制御装置と接続され、前記移動機の通信回線をインターネット網に接続するゲートウェイ装置と、前記複数の基地局、前記呼処理制御装置、ゲートウェイ装置と接続され、システム全体の保守および運用管理を行なう保守管理装置とを有する無線通信システムであって、
前記呼処理制御装置は前記移動機の位置情報を、前記基地局がカバーするセルを複数含むページングエリア単位で管理し、移動機に着信があった場合には前記ページングエリアの各セルに対してページングを行ない、ページング応答を受信して通信回線の設定処理を行なう無線通信システムにおいて、
前記保守管理装置が、移動機情報とページングフラグとを含む移動機の位置取得要求を送信すると、
前記呼処理制御装置は、前記移動機情報と、ページングフラグに基づき、ページングフラグが有効な場合には、待ちうけ状態の移動機に対し、着信の有無に関わらずページングメッセージを送信し、移動機からのページング応答を受信すると、該ページング応答を送信してきたセルを前記ＯＡＭ装置に通知することを特徴とする無線通信システム。
【請求項２】
移動機と無線回線により通信を行なう複数の基地局と、前記複数の基地局と接続され前記移動機に対する通信回線接続の制御を行なう呼接続制御装置と、前記複数の基地局および呼処理制御装置と接続され、前記移動機の通信回線をインターネット網に接続するゲートウェイ装置とを有する無線通信システムを複数含み、前記複数の無線通信システムの各装置の保守および運用管理を行なう保守管理装置を有する通信システムであって、
前記複数の無線通信システムのそれぞれの前記呼処理制御装置は前記移動機の位置情報を、前記基地局がカバーするセルを複数含むページングエリア単位で管理し、移動機に着信があった場合には前記ページングエリアの各セルに対してページングを行ない、ページング応答を受信して通信回線の設定処理を行なうものであり、
前記保守管理装置は、保守管理者が設定した情報に従って、ひとつ以上の無線通信システムの呼処理制御装置に対して移動機情報とページングフラグとを含む移動機の位置取得要求を送信すると、
前記ひとつ以上の無線通信システムの呼処理制御装置のそれぞれは、前記移動機情報と、ページングフラグに基づき、ページングフラグが有効な場合には、待ちうけ状態の移動機に対し、着信の有無に関わらずページングメッセージを送信し、移動機からのページング応答を受信すると、該ページング応答を送信してきたセルを前記ＯＡＭ装置に通知することを特徴とする無線通信システム。
【請求項３】
前記複数の無線通信システムの第１の無線通信システムの呼処理制御装置が、位置取得対象の移動機が、前記第１の無線通信システムとは異なる第２の無線通信システムの管理下にあると判断すると、前記第１の無線通信システムの呼処理制御装置は、前記第２の無線通信システムの呼処理制御装置に対して、前記保守管理装置から受信した位置取得要求を転送することを特徴とする請求項２に記載の無線通信システム。
【請求項４】
移動機と無線回線により通信を行なう複数の基地局と、前記複数の基地局と接続され前記移動機に対する通信回線接続の制御を行なう呼接続制御装置と、前記複数の基地局および呼処理制御装置と接続され、前記移動機の通信回線をインターネット網に接続するゲートウェイ装置と、前記複数の基地局、前記呼処理制御装置、ゲートウェイ装置と接続され、システム全体の保守および運用管理を行なう保守管理装置とを有する無線通信システムにおける移動機の位置情報の取得方法であって、
前記呼処理制御装置は前記移動機の位置情報を、前記基地局がカバーするセルを複数含むページングエリア単位で管理し、移動機に着信があった場合には前記ページングエリアの各セルに対してページングを行ない、ページング応答を受信して通信回線の設定処理を行なうものであり、
前記保守管理装置が、移動機情報とページングフラグとを含む移動機の位置取得要求を送信すると、
前記呼処理制御装置は、前記移動機情報と、ページングフラグに基づき、ページングフラグが有効な場合には、待ちうけ状態の移動機に対し、着信の有無に関わらずページングメッセージを送信し、移動機からのページング応答を受信すると、該ページング応答を送信してきたセルを前記ＯＡＭ装置に通知することを特徴とする移動機の位置情報の取得方法。
【請求項５】
移動機と無線回線により通信を行なう複数の基地局と、前記複数の基地局と接続され前記移動機に対する通信回線接続の制御を行なう呼接続制御装置と、前記複数の基地局および呼処理制御装置と接続され、前記移動機の通信回線をインターネット網に接続するゲートウェイ装置とを有する無線通信システムを複数含み、前記複数の無線通信システムの各装置の保守および運用管理を行なう保守管理装置とを有する通信システムにおける移動機の位置情報の取得方法であって、
前記複数の無線通信システムのそれぞれの前記呼処理制御装置は前記移動機の位置情報を、前記基地局がカバーするセルを複数含むページングエリア単位で管理し、移動機に着信があった場合には前記ページングエリアの各セルに対してページングを行ない、ページング応答を受信して通信回線の設定処理を行なうものであり、
前記保守管理装置は、保守管理者が設定した情報に従って、ひとつ以上の無線通信システムの呼処理制御装置に対して移動機情報とページングフラグとを含む移動機の位置取得要求を送信すると、
前記ひとつ以上の無線通信システムの呼処理制御装置のそれぞれは、前記移動機情報と、ページングフラグに基づき、ページングフラグが有効な場合には、待ちうけ状態の移動機に対し、着信の有無に関わらずページングメッセージを送信し、移動機からのページング応答を受信すると、該ページング応答を送信してきたセルを前記ＯＡＭ装置に通知することを特徴とする移動機の位置情報の取得方法。
【請求項６】
前記複数の無線通信システムの第１の無線通信システムの呼処理制御装置が、位置取得対象の移動機が、前記第１の無線通信システムとは異なる第２の無線通信システムの管理下にあると判断すると、前記第１の無線通信システムの呼処理制御装置は、前記第２の無線通信システムの呼処理制御装置に対して、前記保守管理装置から受信した位置取得要求を転送することを特徴とする請求項５に記載の位置情報の取得方法。
【発明の詳細な説明】
【技術分野】
【０００１】
本発明は、無線通信システム関し、特に無線通信システムにおいて移動機の位置情報を取得する技術に関する。
【背景技術】
【０００２】
無線通信システムには、移動機の位置を追跡するための移動機追跡機能がある。移動機追跡機能を用いると、対象となる移動機の位置情報を取得して存在位置を確認することにより移動機の追跡を行なうことができる。この機能は、例えば、悪意のある利用者や、犯罪に関係する利用者が持つ移動機を追跡するために使われる。
【０００３】
現在の無線通信システムにおいては、移動機の位置情報を把握しているのは呼処理制御装置である。呼処理制御装置は、移動機の位置情報をセル単位で取得し、ページングエリア単位で管理している。ページングエリアとは、複数の基地局またはセルによって構成されており、Ｉｄｌｅ状態の移動機に対してデータ着信が来たことを通知するためのエリアである。位置情報の変更は、移動機が移動してページングエリアが変わると、移動機が呼処理制御装置に対して位置登録要求が送信し、これを受けた呼処理制御装置が位置情報を変更し、位置登録が完了すると移動機に登録完了信号を送信するというようにして行なわれる。
【０００４】
前述の移動機追跡機能は、無線通信システムの保守および運用管理を行なうオペレーション  アドミニストレーション  アンド  マネージメント（ＯＡＭ：Operation Administration and Maintenance）装置が備えている。保守者が、悪意のある利用者や犯罪に関係する利用者の移動機の追跡のために移動機追跡処理を開始すると、ＯＡＭ装置から呼処理制御装置に在圏セル情報の取得要求が送信される。しかし、在圏セル情報が取得できるのは、対象の移動機が、呼を発したＡｃｔｉｖｅ状態である場合に限られる。Ａｃｔｉｖｅ状態の移動機は、基地局を介してデータ通信または音声通信を行っているため、現在通信を行っている基地局に属するセルが在圏セル情報となる。呼処理制御装置は、移動機がＡｃｔｉｖｅ状態である場合、現在通信を行っている基地局に属するセルをＯＡＭ装置へ在圏セル情報として通知する。
【０００５】
一方、対象の移動機が、呼を発していず、通信可能で待ち受けているＩｄｌｅ状態である場合、移動機は、バッテリの消費を抑えるために基地局と通信を切断した状態で在圏している。呼処理制御装置は、移動機が基地局と通信を行っていないため、ページングエリア内の複数のセルのうちのどのセルにいるのか認識することができない。そこで、呼処理制御装置は、移動機がＩｄｌｅ状態であった場合、ＯＡＭ装置からの在圏セル情報の取得要求に対し、移動機が最後に接続したセルまたはページングエリアに属する全てのセルをＯＡＭ装置へ通知する。ページングエリアは、複数の基地局またはセルで構成されているため、移動機の位置情報としては精度が悪い。位置登録は、ページングエリア内では発生しないため、移動機は、基地局と通信を切断した状態でページングエリア内のセル間を移動することが可能である。そのため最後に接続したセルという情報も現在の在圏セル情報としては精度が悪い。
【０００６】
このように、保守者が移動機追跡機能を使って移動機の追跡を要求しても、移動機がＩｄｌｅ状態である場合、呼処理制御装置は、ページングエリアまたは最後に接続したセルでしか移動機の位置を認識することができないため、ＯＡＭ装置は正確な在圏セル情報を取得することができない。
【０００７】
Ｉｄｌｅ状態およびＡｃｔｉｖｅ状態の移動機の位置情報をより正確に把握する方法として、ＧＰＳ通信を用いた方法がある。ＯＡＭ装置から遠隔操作で対象となっている移動機のＧＰＳを起動することで、移動機追跡機能を実現することも考えられる。この場合、移動機によってはＧＰＳ起動時に起動音やバイブレータによる振動が発生したり、画面に表示されたりするため、移動機の利用者に気付かれて電源を切られてしまう可能性もある。また、ＧＰＳ通信は、静止衛星と通信するために移動機の電力を少なからず消費してしまうと言う問題もある。移動機追跡機能は継続して行なわれることが多いと考えられ、度々のＧＰＳ通信により移動機の電力を消費した結果、移動機の電池容量が急激に低下し自動で電源が切れてしまい、それ以降、対象の移動機を追跡する機会を失ってしまうことも考えられる。悪意の利用や犯罪に関係する利用者の移動機を追跡する場合には、利用者に気づかれず、かつ、電力消費量が低い方法で行なうことが必須である。
【０００８】
Ａｃｔｉｖｅ状態の移動機に関する位置情報の要求がされた場合に、対象の移動機の所在を継続的に追跡するための移動機追跡技術が特許文献1に示されている。特許文献１にはＩｄｌｅ状態の移動機の所在を追跡する方法については示されていない。
【先行技術文献】
【特許文献】
【０００９】
【特許文献１】特開平１１−２６６４７６号公報
【発明の概要】
【発明が解決しようとする課題】
【００１０】
本発明は、上記課題を解決するためになされたもので、Ｉｄｌｅ状態の移動機に対しても、正確な位置情報の取得を可能とすることを目的とする。
【課題を解決するための手段】
【００１１】
保守者は、対象の移動機が現在どのセル配下にいるのかを追跡するために、ＯＡＭ装置は、移動機の加入者識別子とページングフラグを有効に設定して呼処理制御装置に対して在圏セル情報の取得要求を送信する。呼処理制御装置は、ＯＡＭ装置から移動機の在圏セル情報の問い合わせを受けた移動機がＩｄｌｅ状態で、かつ、ページングフラグが有効に設定されている場合、当該移動機へページングメッセージを送信し、移動機にページングメッセージの応答メッセージを返信させる。移動機がページングメッセージの応答メッセージを返信すると、Ａｃｔｉｖｅ状態へ遷移し、基地局を介して呼処理制御装置と通信を行うことになるので、呼処理制御装置は、移動機の在圏セル情報を知ることができる。呼処理制御装置は、ページングメッセージの応答メッセージを送信してきたセルを移動機の在圏セル情報としてＯＡＭ装置へ在圏セル情報を通知する。
【発明の効果】
【００１２】
本発明によれば、保守者は、Ｉｄｌｅ状態の移動機に対しても、正確な位置情報を即座に把握することが可能となる。
【図面の簡単な説明】
【００１３】
【図１】本発明を適用する無線通信システムの構成を示す図である。
【図２】本発明の一実施形態における移動機の構成を示すブロック図である。
【図３】本発明の一実施形態における基地局の構成を示すブロック図である。
【図４】本発明の一実施形態における呼処理制御装置の構成を示すブロック図である。
【図５】本発明の一実施形態におけるＯＡＭ装置の構成を示すブロック図である。
【図６】本発明の一実施形態における移動機追跡処理の処理内容を説明するシーケンス図である。
【図７】移動機のページングエリア情報データベース、加入者情報データベースを説明する図である。
【図８】基地局の基地局データベースを説明する図である。
【図９】呼処理制御装置のページングエリア情報データベース、加入者情報データベース、基地局情報データベースを説明する図である。
【図１０】ＯＡＭ装置の移動機追跡処理条件データベース、移動機位置情報データベース、無線通信システム種別データベースを示した図である。
【図１１】無線通信サービス開始後の呼処理制御装置の加入者情報データベース、ページングエリア情報データベースを説明する図である。
【図１２】呼処理制御装置から無線通信サービス開始許可を受信した後の移動機のページングエリア情報データベースを説明する図である。。
【図１３】ＯＡＭ装置の移動機追跡条件データベース、無線通信システム種別データベース説明する図である。
【図１４】ＯＡＭ装置の移動機位置情報データベースを示した図である。
【図１５】本発明の一実施形態におけるＯＡＭ装置の無線通信システム種別データベースと、移動機追跡処理のシーケンスを示す図である。
【図１６】本発明の一実施形態におけるＯＡＭ装置の無線通信システム種別データベースと、移動機追跡処理のシーケンスを示す図である。
【発明を実施するための形態】
【００１４】
以下、本発明の実施の形態について、図面を参照して詳細に説明する。
図１は、本発明を適用する無線通信システムの構成を示す図である。
図１では、移動機１００を１台しか図示していないが、移動機１００が複数台あっても以下の説明と同様の処理を複数の移動機に行うことで実現が可能である。
図１において、無線通信システム１０８は、移動機１００と、基地局Ａ１０１−１、基地局Ｂ１０１−２、基地局Ｃ１０１−３と、呼処理制御装置１０２と、ゲートウェイ１０３と、インターネット網１０４と、ＯＡＭ装置１０５を備える。
基地局Ａ１０１−１と基地局Ｂ１０１−２と基地局Ｃ１０１−３は、それぞれセルａ１０６−１、セルｂ１０６−２、セルｃ１０６−３を備える。移動機１００と基地局１０１は無線で通信を行う。基地局１０１と呼処理制御装置１０２とゲートウェイ１０３とＯＡＭ装置１０５は有線にてメッシュ状で接続される。ゲートウェイ１０３は、インターネット網１０４と接続される。移動機１００は、例えばデータ通信を行なう場合には、基地局１０１およびゲートウェイ１０３を介してインターネット網１０４に位置するサーバとの間でデータの送受信を行う。
【００１５】
保守者１０７は、ＯＡＭ装置１０５を使って移動機１００が現在どのセル配下にいるのかを追跡するための移動機追跡処理を開始する。ＯＡＭ装置１０５は、呼処理制御装置１０２へ移動機１００の在圏セル情報を問い合わせる。
【００１６】
呼処理制御装置１０２は、ＯＡＭ装置１０５から在圏セル情報の問い合わせを受けた移動機１００が自身のデータベースに存在しないと判断した場合には、ＯＡＭ装置１０５へ移動機１００が存在しないことを通知する。
一方、呼処理制御装置１０２は、ＯＡＭ装置１０５から在圏セル情報の問い合わせを受けた移動機１００が基地局１０１と通信中であり、自身のデータベースに存在すると認識した場合、ＯＡＭ装置１０５へ移動機１００が現在在圏しているセル１０６の情報を通知する。
呼処理制御装置１０２はＯＡＭ装置１０５から在圏セル情報の問い合わせを受けた移動機１００が、自身のデータベースに存在することを認識したが、移動機１００がＩｄｌｅ状態であるため在圏セル情報を把握できてなかった場合、本実施形態を適用する。
【００１７】
本実施形態においては、移動機追跡処理に、ページングフラグを設ける。このページングフラグは、移動機追跡処理において、ページングを行なうか否かを設定するフラグである。保守者１０７は、移動機追跡処理を開始するときに、追跡対象の移動機１００の加入者識別子と合わせて、ページングフラグを設定しておく。
【００１８】
ページングフラグを有効に設定した状態でＯＡＭ装置１０５から移動機１００の在圏セル情報の問い合わせを受けた場合、かつ、移動機１００がＩｄｌｅ状態であった場合、呼処理制御装置１０２は、基地局１０１を介して移動機１００へページングメッセージを送信する。ページングメッセージを受信した移動機１００は、呼処理制御装置１０２へ基地局１０１を介して応答する。移動機１００がページングメッセージの応答メッセージを呼処理制御装置１０２へ送信するとき、基地局１０１は、移動機１００がページングメッセージの応答メッセージを送信してきたセル１０６情報を付加して呼処理制御装置１０２へ転送する。呼処理制御装置１０２は、基地局１０１から受信したセル１０６情報を、対象の移動機１００の在圏セル情報としてＯＡＭ装置１０５へ通知する。呼処理制御装置は、ＯＡＭ装置からの在圏セル情報の問い合わせに基くページングメッセージの送信の場合には、対象の移動機から応答メッセージを受信しても、リソースの確保等それ以上の処理は行なわず、処理を終了する。
【００１９】
ページングフラグを無効に設定していた場合、呼処理制御装置１０２は、移動機１００がＩｄｌｅ状態であってもページングを行わない。呼処理制御装置１０２は、ＯＡＭ装置１０５からページングフラグが無効に設定された状態で在圏セル情報の取得要求を受信した場合、従来技術と同様にページングエリアに属する複数のセル情報全て、または、移動機１００が最後に接続したセル情報をＯＡＭ装置へ通知する。
保守者１０７は、移動機追跡処理において、Ｉｄｌｅ状態の移動機に対しては、呼処理制御装置１０２がページングを送信するか否かを自由に変更可能である。
【００２０】
次に、移動機の構成について説明する。
図２は、本発明の一実施形態における移動機の構成を示すブロック図である。
移動機１００は、1つ以上の送受信アンテナ２００と、各アンテナ２００に接続された無線アナログ部２０１と、無線アナログ部２０１と接続されたデジタル信号処理部２０２と、デジタル信号処理部２０２と接続された呼処理部２０３とを備えている。
【００２１】
ここで、無線アナログ部２０１は、アンテナ２００を介して受信した基地局１０１からのアナログ信号をデジタル信号に変換し、デジタル信号処理部２０２に出力する。また、無線アナログ部２０１は、デジタル信号処理部２０２から受信したデジタル信号をアナログ信号に変換し、アンテナ２００を介して基地局１０１に送信する。デジタル信号処理部２０２は、無線アナログ部２０１からの信号の復調や基地局１０１への信号の変調を行う。呼処理部２０３は、プロセッサ（制御部）２１０と、プロセッサ２１０が実行するプログラム等を格納するメモリ２１１と、ページングエリアに属するセル情報を格納するページングエリア情報データベース２１２と、移動機１００の加入者情報を格納する加入者情報データベース２１３とを備えている。ページングエリア情報データベース２１２と加入者情報データベース２１３は、別々のメモリではなく、ひとつのメモリ内に格納する構成としてもよい。
【００２２】
移動機１００は、無線通信サービス開始要求を基地局１０１を介して呼処理制御装置１０２へ送信する機能と、無線通信サービス開始許可を呼処理制御装置１０２から基地局１０１を介して受信したときにページングエリアに属するセル情報を設定する機能と、呼処理制御装置１０２から基地局１０１を介してページングメッセージを受信したときにページンメッセージに応答する機能などを有する。
【００２３】
次に、基地局の構成について説明する。
図３は、本発明の一実施形態における基地局の構成を示すブロック図である。
基地局１０１は、1つ以上の送受信アンテナ３００と、アンテナ３００の各々に接続された無線アナログ部３０１と、これら無線アナログ部３０１と接続されたデジタル信号処理部３０２と、デジタル信号処理部３０２と接続された呼処理部３０４と、呼処理部３０４と接続された回線インタフェース部３０３とを備えている。回線インタフェース部３０３は、呼処理制御装置１０２と、ゲートウェイ１０３と、ＯＡＭ装置１０５とも接続されている。
【００２４】
ここで、無線アナログ部３０１は、アンテナ３００を介して受信した移動機１００からのアナログ信号をデジタル信号に変換し、デジタル信号処理部３０２に出力する。また、無線アナログ部３０１は、デジタル信号処理部３０２から受信したデジタル信号をアナログ信号に変換し、アンテナ３００を介して移動機１００に送信する。デジタル信号処理部３０２は、無線アナログ部３０１からの信号の復調や移動機１００への信号の変調を行う。呼処理部３０４は、プロセッサ（制御部）３１０と、プロセッサ３１０が実行するプログラム等を格納するメモリ３１１と、基地局１０１のセル識別子を格納する基地局情報データベース３１２とを備えている。
【００２５】
基地局１０１は、移動機から受信した無線通信サービス開始要求を呼処理制御装置１０２へ送信する機能と、呼処理制御装置１０２から受信した無線通信サービス開始許可を移動機１００へ送信する機能と、呼処理制御装置１０２から送信されるページングメッセージを移動機１００へ送信する機能と、移動機１００から送信されるページングメッセージの応答メッセージを移動機の在圏セル情報を付加して呼処理制御装置１０２へ送信する機能などを備えている。
【００２６】
次に、呼処理制御装置について説明する。
図４は、本発明の一実施形態における呼処理制御装置の構成を示すブロック図である。
呼処理制御装置１０２は、基地局１０１とゲートウェイ１０３とＯＡＭ装置１０５と接続された回線インタフェース部４００と、回線インタフェース部４００と接続された呼処理部４０１とを備えている。
【００２７】
ここで、呼処理部４０１は、プロセッサ（制御部）４１０と、プロセッサ４１０が実行するプログラム等を格納するメモリ４１１と、ページングエリアに属する複数のセル１０６を格納するページングエリア情報データベース４１２と、基地局１０１のセル識別子を格納する基地局情報データベース４１３と、移動機１００の加入者情報を格納する加入者情報データベース４１４とを備えている。ページングエリア情報データベース４１２と基地局情報データベース４１３と加入者情報データベース４１４は別々のメモリではなく、ひとつのメモリ内に格納する構成としてもよい。
【００２８】
呼処理制御装置１０２は、移動機１００が基地局１０１を介して送信する無線通信サービス開始要求受信後に無線通信サービス開始のための設定処理を行う機能と、無線通信サービス開始のための設定が完了したことを基地局１０１を介して移動機１００へ通知する機能と、ＯＡＭ装置１０５が移動機追跡処理を開始し、在圏セル情報の取得要求を受信したときに在圏セル情報の取得要求にページングフラグが有効に設定されていて、かつ、移動機１００がＩｄｌｅ状態のときに、Ｉｄｌｅ状態の移動機１００へ基地局１０１を介してページングメッセージを送信する機能と、移動機１００から基地局１０１を介してページングメッセージの応答メッセージを受信後にページングメッセージの応答メッセージに含まれる在圏セル情報をＯＡＭ装置へ通知する機能などを有する。
【００２９】
次に、ＯＡＭ装置について説明する。
図５は、本発明の一実施形態におけるＯＡＭ装置の構成を示すブロック図である。
ＯＡＭ装置１０５は、基地局１０１と呼処理制御装置１０２とゲートウェイ１０３と接続された回線インタフェース部５００と、回線インタフェース部５００と接続された呼処理部５０１とを備えている。
【００３０】
ここで、呼処理部５０１は、プロセッサ（制御部）５１０と、プロセッサ５１０が実行するプログラム等を格納するメモリ５１１と、移動機追跡処理条件を格納する移動機追跡処理条件データベース５１２と、移動機の在圏セル情報を格納する移動機位置情報データベース５１３と、保守者１０７がどの無線通信システム１０８を移動機追跡処理の対象としたのかを格納するための無線通信システム種別データベース５１４とを備えている。移動機追跡処理条件データベース５１２と移動機位置情報データベース５１３と無線通信システム種別データベース５１４は別々のメモリではなく、ひとつのメモリ内に格納する構成としてもよい。
ＯＡＭ装置１０５は、保守者が入力した移動機追跡処理条件をもとに移動機追跡処理を開始する機能と、移動機追跡処理の結果、取得した移動機１００の在圏セル情報を保守者１０７へ表示する機能と、保守者１０７が移動機追跡処理の対象としたい無線通信システム１０８を指定した場合に、指定された無線通信システム１０８において移動機追跡処理を開始する機能などを備えている。
【００３１】
次に、本発明の一実施形態における移動機追跡処理の処理シーケンスを説明する。
図６は、本発明の一実施形態における移動機追跡処理の処理内容を説明するシーケンス図である。
図６では、保守者１０７がＩｄｌｅ状態の移動機１００の在圏セル情報を取得する場合の処理を示している。図６のシーケンス図の説明を、図７、図８、図９、図１０、図１１、図１２、図１３、図１４の各装置のデータベースの情報要素と合わせて行う。このうち図７ないし図１０は、本実施形態を説明するのに使用する各装置の初期の情報要素を示した図である。
【００３２】
図７は、移動機のページングエリア情報データベース、加入者情報データベースを説明する図である。
図７（ａ）に示す移動機１００のページングエリア情報データベース２１２には、無線通信サービス開始前であるため、ページングエリア情報としてＮｕｌｌが設定されている。図７（ｂ）に示す移動機１００の加入者情報データベース２１３には、移動機１００の加入者情報として、ここでは例としてＵＥ１（ＵＥ：User Equipment）が設定されている。移動機１００の加入者情報は、無線通信サービスを提供するオペレータによってあらかじめ割り当てられている識別子である。
【００３３】
図８は、基地局の基地局データベースを説明する図である。
図８（ａ）の基地局Ａ１０１−１の基地局情報データベース３１２には、セル識別子としてＣｅｌｌ１が設定されている。図８（ｂ）の基地局Ｂ１０１−２の基地局情報データベース３１２には、セル識別子としてＣｅｌｌ２が設定されている。図８（ｃ）の基地局ｃ１０１−３の基地局情報データベース３１２には、セル識別子としてＣｅｌｌ３が設定されている。基地局１０１のセル識別子は、無線通信サービスを提供するオペレータによってあらかじめ割り当てられている識別子である。
【００３４】
図９は、呼処理制御装置のページングエリア情報データベース、基地局情報データベース、加入者情報データベースを説明する図である。
図９（ａ）の呼処理制御装置１０２のページングエリア情報データベース４１２には、無線通信サービス開始前であるため、ページングエリア情報としてＮｕｌｌが設定されている。図９（ｂ）の呼処理制御装置の基地局情報データベース４１３には、基地局Ａ１０１−１が管理するセルａ１０６−１、基地局Ｂ１０１−２が管理するセルｂ１０６−２、基地局Ｃ１０１−３が管理するセルｃ１０６−３のセル識別子として、それぞれ、Ｃｅｌｌ１、Ｃｅｌｌ２、Ｃｅｌｌ３が設定されている。これらのセル識別子は、無線通信サービスを提供するオペレータによってあらかじめ割り当てられている識別子である。図９（ｃ）の呼処理制御装置１０２の加入者情報データベース４１４には、Ｎｕｌｌが設定されている。移動機１００の加入者情報は、移動機１００から送信される無線通信サービスの開始要求に含まれる情報要素である。
【００３５】
図１０は、ＯＡＭ装置の移動機追跡処理条件データベース、移動機位置情報データベース、無線通信システム種別データベースを説明する図である。
図１０（ａ）のＯＡＭ装置１０５の移動機追跡処理条件データベース５１２には、追跡したい移動機１００の加入者情報とページングフラグにＮｕｌｌが設定されている。図１０（ｂ）のＯＡＭ装置１０５の移動機位置情報データベース５１３には、追跡したい移動機１００の位置情報としてＮｕｌｌが設定されている。移動機追跡処理条件データベース５１２と移動機位置情報データベース５１３の情報は、保守者１０７が移動機１００に対して移動機追跡処理を開始するときに設定する情報要素である。図１０（ｃ）の無線通信システム種別データベース５１４にはＮｕｌｌが設定されている。
【００３６】
図６において、移動機１００は、移動機１００の加入者情報データベース２１３にＵＥ１をすでに設定しており、ＵＥ１の加入者情報を使って無線通信サービスを利用する（ステップ６０１）。一方、保守者１０７は、無線通信サービスを行う移動機１００の加入者情報をＵＥ１として管理している（ステップ６０２）。移動機１００は、無線通信サービスを行う前は無線通信サービスに必要な設定を行っていないため、無線通信サービスの開始前を示すＮｕｌｌ状態となっている（ステップ６０３）。呼処理制御装置１０２は、移動機１００から無線通信サービス開始要求を受信していないため、移動機１００に対する状態をＮｕｌｌと設定する（ステップ６０４）。
移動機１００は、加入者情報を含めた無線通信サービス開始要求を基地局１０１を介して呼処理制御装置１０２へ送信する（ステップ６０５）。呼処理制御装置１０２は、移動機１００から無線通信サービス開始要求を受信し、無線通信サービス開始要求に含まれる加入者情報を自身の加入者情報データベース４１４に設定する（ステップ６０６）。呼処理制御装置１０２は、移動機１００にページングメッセージを送信するためのエリア（ページングエリア）を決定する。
【００３７】
図１１は、無線通信サービス開始後の呼処理制御装置の加入者情報データベース、ページングエリア情報データベースを説明する図である。
図１１（ａ）は、無線通信サービス開始要求を受信後の加入者情報データベース４１４を示した図である。呼処理制御装置１０２は、無線通信サービス開始要求に含まれる加入者情報ＵＥ１を加入者情報データベース４１４に設定する。図１１（ｂ）は、無線通信サービス開始要求を受信後の移動機のページングエリア情報データベース４１２を示した図である。呼処理制御装置１０２は、無線通信サービス開始要求受信後に、移動機１００にページングエリアを割り当てる。呼処理制御装置１０２は、ページングエリアとして、基地局Ａ１０１−１が管理するセルａ１０６−１、基地局Ｂ１０１−２が管理するセルｂ１０６−２、基地局Ｃ１０１−３が管理するセルｃ１０６−３を割り当て、ページングエリア情報データベース４１２にＣｅｌｌ１とＣｅｌｌ２とＣｅｌｌ３を設定する。呼処理制御装置１０２は、移動機１００の加入者情報をＵＥ１、移動機１００のページングエリアをＣｅｌｌ１とＣｅｌｌ２とＣｅｌｌ３として管理する。また、呼処理制御装置１０２は、ページングエリア情報を含めた無線通信サービス開始許可を移動機１００へ送信する（ステップ６０７）。
【００３８】
図１２は、無線通信サービス開始許可を受信した後の移動機のページングエリア情報データベースを説明する図である。
図１２には、呼処理制御装置１０２から無線通信サービス開始許可を受信した後の移動機１００のページングエリア情報データベース２１２を示している。
無線通信サービス開始許可には、ページングエリア情報としてＣｅｌｌ１とＣｅｌｌ２とＣｅｌｌ３が設定されている。移動機１００は、移動機１００のページングエリア情報データベース２１２にＣｅｌｌ１とＣｅｌｌ２とＣｅｌｌ３を設定する。無線通信サービス開始許可を受信した移動機１００は、無線通信を行うことが可能となり、通信状態であるＡｃｔｉｖｅ状態へ遷移する（ステップ６０８）。
呼処理制御装置１０２は、移動機１００へ無線通信サービス開始の許可を与えたので、移動機１００に対する状態がＡｃｔｉｖｅ状態へ遷移する（ステップ６０９）。その後、移動機１００と呼処理制御装置１０２は、移動機１００が一定時間通信しなかった場合、自動的にＩｄｌｅ状態へ遷移する（ステップ６１０）。移動機１００と呼処理制御装置１０２は、Ｉｄｌｅ遷移後に状態をＡｃｔｉｖｅ状態からＩｄｌｅ状態となる（ステップ６１１）、（ステップ６１２）。
【００３９】
移動機１００を追跡する必要が発生した場合、保守者１０７は、ＯＡＭ装置１０５を使って移動機１００が現在どのセル配下にいるのかを追跡するための移動機追跡処理を開始する。（ステップ６１３）。保守者は、移動機１００の加入者情報を使って移動機追跡処理を行う。
保守者１０７は、ＯＡＭ装置に、移動機１００の加入者情報としてＵＥ１を設定する。また、本実施形態においては、移動機追跡処理のパラメータとして、ページングフラグを設けている。ページングフラグとは、移動機追跡処理において、追跡対象の移動機１００がＩｄｌｅ状態である場合に、呼処理制御装置１０２からページングを送信するか否かを設定するためのパラメータである。通常、ページングメッセージは移動機に着信があった場合に呼処理制御装置からページングエリア内のセルに対して送信される。本実施形態では、このページングメッセージに着目し、保守者が、移動機追跡処理のパラメータとして、ページングフラグを有効に設定した場合には、そのページングフラグの情報をＯＡＭ装置から呼処理制御装置に送信する在圏セル情報取得要求に含めて送信する。呼処理制御装置は、ページングフラグが有効の在圏セル情報取得要求を受信すると、移動機への着信が無くても、対象の移動機のページングエリアのセルに対しページングメッセージを送信する。通常のページングにおいては、対象の移動機からページング応答があると、呼接続の処理を行なうが、本実施形態のＯＡＭ装置からの在圏セル情報の取得要求に基づくページングの場合には、対象の移動機からページング応答を受信しても、リソースの確保等の呼接続の処理は行なわない。呼処理制御装置は、通常のページングにおいて行なう呼接続の処理は行なわずに、対象の移動機からページング応答を受信すると、その応答メッセージを送信してきたセルを、対象の移動機の在圏セル情報として、ＯＡＭ装置に通知するという処理を行なう。このように、本実施形態では、ページングを、対象の移動機をＡｃｔｉｖｅ状態へ遷移させ、在圏セル情報を把握することに利用する。
【００４０】
図６に戻り、移動機追跡処理の条件設定において（ステップ６１４）保守者は、追跡対象の移動機１００の加入者情報ＵＥ１を設定し、さらにこの例ではページングフラグを有効に設定する。移動機追跡処理を行う移動機１００は、一台でなくとも複数台登録できるようにしてもよい。異なる加入者情報を持つ複数の移動機を追跡する場合、保守者は、ＯＡＭ装置の設定画面から、それら複数の移動機の加入者情報を入力する。複数の移動機の追跡状況を、追跡中、追跡失敗、追跡完了、追跡予約といった状態で管理すれば、保守者１０７は、一つの画面で複数の移動機の追跡状況を管理できる。
ＯＡＭ装置１０５は、保守者１０７によって設定された情報を移動機追跡処理条件データベース５１２に設定する（ステップ６１５）。
【００４１】
図１３は、ＯＡＭ装置の移動機追跡条件データベース、無線通信システム種別データベースを説明する図である。
図１３（ａ）は、ＯＡＭ装置１０５の移動機追跡処理条件データベース５１２を示した図である。保守者１０７は、移動機１００の加入者情報としてＵＥ１を入力し、ページングフラグは有効を入力したので、移動機追跡処理条件データベース５１２に追跡したい移動機の加入者情報にＵＥ１を、、ページングフラグは有効に設定する。
図１３（ｂ）は、ＯＡＭ装置１０５の無線通信システム種別データベース５１４を示した図である。保守者１０７は、無線通信システム１を追跡するように入力したので、無線通信システム種別データベース５１４に無線通信システム１を追跡対象として設定する。移動機追跡処理の条件が設定されると、ＯＡＭ装置１０５は、呼処理制御装置１０２へ対象の移動機１００の在圏セル情報を問い合わせる在圏セル情報の取得要求を送信する（ステップ６１６）。この在圏セル情報の取得要求には、追跡対象の移動機の加入者情報（ＵＥ１）およびページングフラグの情報（有効）が含まれる。
【００４２】
呼処理制御装置１０２は、ＯＡＭ装置１０５から移動機１００の在圏セル１０５情報の取得要求を受信すると、取得要求に含まれた情報に基き、対象の移動機１００の状態を確認する（ステップ６１７）。呼処理制御装置１０２は、この例では、ステップ６１０のＩｄｌｅ遷移処理で対象の移動機１００はＩｄｌｅ状態へ遷移しているため、移動機１００の状態はＩｄｌｅ状態であると判断する。
【００４３】
呼処理制御装置１０２は、ステップ６１６の在圏セル情報取得要求６１６にページングフラグが有効に設定されていて、かつ、移動機１００の状態がＩｄｌｅ状態であると判断した場合、移動機１００のページングエリアのセルに対してページングメッセージを送信する（ステップ６１８）。具体的には、呼処理制御装置１０２は、ページングエリア情報データベース４１２にＣｅｌｌ１とＣｅｌｌ２とＣｅｌｌ３が設定されているので、基地局情報データベース３１２からＣｅｌｌ１とＣｅｌｌ２とＣｅｌｌ３を管理している基地局１０１を、それぞれ、基地局Ａ１０１−１、基地局Ｂ１０１−２、基地局Ｃ１０１−３と判断し、基地局Ａ１０１−１、基地局Ｂ１０１−２、基地局Ｃ１０１−３へページングメッセージを送信する。基地局Ａ１０１−１、基地局Ｂ１０１−２、基地局Ｃ１０１−３は、呼処理制御装置１０２から受信したページングメッセージを移動機１００へ送信する。
【００４４】
移動機１００は、基地局Ａ１０１−１のセルａ１０６−１からページングメッセージを受信したので、基地局Ａ１０１−１のセルａ１０６−１を介して、ページングメッセージの応答メッセージを呼処理制御装置１０２へ送信する（ステップ６１９）。ページングメッセージの応答メッセージを受信した基地局Ａ１０１−１は、移動機１００の在圏セル情報としてセルａ１０６−１を在圏セル情報の通知メッセージに含めて呼処理制御装置１０２へ送信する。
【００４５】
移動機１００と呼処理制御装置１０２は、ページング処理後にデータ通信が可能であるＡｃｔｉｖｅ状態へ遷移する（ステップ６２０）、（ステップ６２１）。呼処理制御装置１０２は、基地局Ａ１０１−１から、移動機１００の在圏セル情報としてセルａ１０６−１が含まれているページングメッセージの応答メッセージを受信する。呼処理制御装置１０２は、基地局Ａ１０１−１から受信した移動機１００の在圏セル情報をＯＡＭ装置１０５へ通知する（ステップ６２２）。
【００４６】
図１４は、ＯＡＭ装置の移動機位置情報データベースを示した図である。
図１４においてＯＡＭ装置１０５は、呼処理制御装置１０２から移動機１００の在圏セル情報として基地局Ａ１０１−１のセルａ１０６−１を通知されたとする。ＯＡＭ装置は、移動機位置情報データベース５１３に、基地局Ａ１０１−１のセルａ１０６−１のセル識別子であるＣｅｌｌ１を設定する。
ＯＡＭ装置１０５は、呼処理制御装置１０２から受信した在圏セル情報に基づき、追跡対象の移動機１００が在圏しているセルは、セルａ１０６−１であることを画面上に表示する（ステップ６２３）。保守者１０７は、移動機１００が、現在、セルａ１０６−１に在圏していると判断する。
【００４７】
本実施形態では、保守者１０７が追跡したい移動機１００の位置情報としてセル識別子を用いて説明したが、セル識別子でなくとも基地局１０１を示す基地局識別子、または、基地局１０１が属するエリアのエリア識別子であっても同様の処理が可能である。
本実施形態では、ＯＡＭ装置１０５主導で呼処理制御装置１０２からページングメッセージを送信することによってＩｄｌｅ状態の移動機１００の在圏セル情報を取得したが、ページングメッセージでなくとも、緊急用のページングメッセージであっても同様の処理が可能である。緊急用のページングメッセージは、基地局１０２が輻輳状態であっても、他の呼を切断してでも緊急用のページングメッセージと緊急用のページングメッセージの応答メッセージを優先的に送受信するため、より確実に移動機追跡処理を行うことが可能である。
【００４８】
本実施形態は、ページングメッセージを受信後に移動機１００が応答メッセージを送信した在圏セル情報をＯＡＭ装置１０５へ通知する例を示したが、ページングメッセージを受信、または、ページングメッセージの応答メッセージを返信したことを契機に、移動機１００は、在圏セル情報よりも詳細な位置情報を取得する機能を起動するようにしてもよい。より詳細な位置情報を取得する機能としては、例えば、移動機１００が基地局１０１から受信した制御信号の電力減衰量や遅延時間を使って、3つ以上の基地局と当該移動機１００との距離を測位し、移動機１００の位置情報を特定可能な位置即位機能がある。呼処理制御装置１０２は、位置即位機能によって移動機１００の在圏セル情報よりも詳細な位置情報を取得後、ＯＡＭ装置１０５へ在圏セル情報よりも詳細な位置情報を通知する。
【００４９】
また、本実施形態は、ページングメッセージを受信した移動機１００の応答メッセージを送信してきたセルを、在圏セル情報としてＯＡＭ装置１０５へ通知する例を示したが、ページングメッセージを受信、または、ページングメッセージの応答メッセージを返信したことを契機に、移動機１００は、在圏セル情報を定期的に呼処理生後装置１０２へ通知する機能を起動してもよい。呼処理制御装置１０２は、この機能によって移動機１００から在圏セル情報を取得すると、定期的にＯＡＭ装置１０５へ在圏セル情報を通知する。
【００５０】
また、本実施形態は、一つの無線通信システム１０８をサポートしている移動機１００を追跡する方法について示したものであり、ＯＡＭ装置の無線通信システム種別データベースは、移動機を追跡する対象の無線通信システムが単一の場合には、省略することができる。二つ以上の無線通信システム１０８をサポートしている移動機１００（デュアル端末）であっても同様の処理が可能でありデュアル端末機能を持った移動機１００を追跡する場合、移動機追跡処理の条件設定においてＯＡＭ装置１０５に移動機追跡処理を行いたい無線通信システムを複数またはひとつひとつ順番に指定すればよい。
【００５１】
図１５は、ＯＡＭ装置の無線通信システム種別データベースおよび複数の無線通信システムにおいて移動機追跡処理を行なう場合のシーケンスを示す図である。
図１５（ａ）は、ＯＡＭ装置１０５の無線通信システム種別データベース５１４を示した図である。保守者１０７がＯＡＭ装置１０５に移動機追跡処理を行いたい無線通信システム１０８として、無線通信システム１（１５０１）と無線通信システム２（１５０２）とを設定する。無線通信システム１（１５０１）と無線通信システム２（１５０２）は、図１の無線通信システム１０８と同様の構成である。
【００５２】
図１５（ｂ）はＯＡＭ装置１０５が無線通信システム１（１５０１）と無線通信システム２（１５０２）に対して移動機追跡処理を行う場合の処理シーケンスを示した図である。保守者１０７とＯＡＭ装置１０５は、図６の６１３から６１７と同様の方法で移動機追跡処理を行う（ステップ１５０３、ステップ１５０４、ステップ１５０５、ステップ１５０６）。ＯＡＭ装置１０５は、無線通信システム１（１５０１）と無線通信システム２（１５０２）へ在圏セル情報の取得要求を送信する（ステップ１５０７）。移動機１００と無線通信システム１（１５０１）と無線通信システム２（１５０２）は、移動機１００がＩｄｌe状態である場合、図６の６１８と６１９と同じ方法で在圏セルの情報の取得を行う（ステップ１５０８）。
無線通信システム２（１５０２）は、自身の配下に移動機１００がいることを検知したため、無線通信システム２（１５０２）に属する呼処理制御装置１０２からＯＡＭ装置１０５へ在圏セル情報を通知する（ステップ１５０９）。ＯＡＭ装置１０５は、無線通信システム２（１５０２）に属する呼処理制御装置１０２から受信した在圏セル情報を画面上に表示する（ステップ１５１０）。本実施形態は、一つの無線通信システム１０８をサポートしている移動機１００を追跡する方法について示したが、二つ以上の無線通信システム１０８をサポートしている移動機１００（デュアル端末）であっても同様の処理が可能である。デュアル端末機能を持った移動機１００を追跡する場合、かつ、呼処理制御装置１０２が移動機１００のサポートしている複数の無線通信システム１０８を把握している場合、移動機１００の在圏セル情報取得要求を受信した呼処理制御装置１０２は、自身がサポートしていない無線通信システム１０８側に属する他の呼処理制御装置１０２へ、ＯＡＭ装置１０５から受信した在圏セル情報取得要求を転送すればよい。
【００５３】
また別の実施形態として、ある無線通信システムのＯＡＭ装置が、対象の移動機が別の無線通信システムの管理下にあることを検出して、別の無線通信システムに対して在圏セル情報の取得要求を送信することも考えられる。
【００５４】
図１６は、複数の無線通信システムに属する呼処理制御装置間の連携によって複数の無線通信システムに対して移動機追跡処理を行う実施形態におけるＯＡＭ装置の無線通信システム種別データベースおよび移動機追跡処理を行なう場合のシーケンスを示す図である。
図１６（ａ）は、ＯＡＭ装置１０５の無線通信システム種別データベース５１４を示した図である。保守者１０７がＯＡＭ装置１０５に移動機追跡処理を行いたい無線通信システム１０８として、無線通信システム１（１５０１）を設定する。
【００５５】
図１６（ｂ）はＯＡＭ装置１０５が無線通信システム１（１５０１）に対して移動機追跡処理を行う様子を示した図である。
保守者１０７とＯＡＭ装置１０５は、図６の６１３から６１７と同様の方法で移動機追跡処理を行う（ステップ１６０１、ステップ１６０２、ステップ１６０３、ステップ１６０４）。ＯＡＭ装置１０５は、無線通信システム１（１５０１）へ在圏セル情報の取得要求を送信する（ステップ１６０５）。無線通信システム１（１５０１）は、移動機１００が無線通信システム２（１５０２）に在圏していることを知っているため、無線通信システム１（１５０１）に属する呼処理制御装置１０２から無線通信システム２（１５０２）に属する呼処理制御装置１０２へ在圏セル情報の取得要求を転送する（１６０６）。
【００５６】
移動機１００と無線通信システム２（１５０２）は、移動機１００がＩｄｌe状態である場合、図６の６１８と６１９と同じ方法で在圏セルの情報の取得を行う（ステップ１６０７）。無線通信システム２（１５０２）は、自身の配下に移動機１００がいることを検知したため、無線通信システム２（１５０２）に属する呼処理制御装置１０２からＯＡＭ装置１０５へ在圏セル情報を通知する（ステップ１６０８）。ＯＡＭ装置１０５は、無線通信システム２（１５０２）に属する呼処理制御装置１０２から受信した在圏セル情報を画面上に表示する（ステップ１６０９）。
【００５７】
以上説明した複数の本実施形態においては、追跡対象の移動機がＩｄｌｅ状態であっても移動機の在圏セル情報を即座に把握することができる。また、移動機追跡処理のためにページングメッセージの送信と、その応答メッセージを利用する。従って音声呼やデータ呼を移動機へ送信することがなく、音声呼やデータ呼が到着しないため、着信音や振動動作が発生することがない。着信音や振動動作を発生させずに追跡対象の移動機をＡｃｔｉｖｅ状態にするとともに在圏セル情報を取得できるので、保守者は、移動機の利用者に気付かれることなく移動機の在圏セル情報を把握することが可能である。
【符号の説明】
【００５８】
１００…移動機、１０１…基地局、１０２…呼処理制御装置、１０３…ゲートウェイ、１０４…インターネット網、１０５…ＯＡＭ装置、１０６…セル、１０７…保守者、
（無線端末）２００…受信アンテナ、２０１…無線アナログ部、２０２…デジタル信号処理部、２０３…呼処理部、２１０…プロセッサ、２１１…プログラム格納メモリ、２１２…ページングエリア情報データベース、２１３…加入者情報データベース、
（基地局）３００…受信アンテナ、３０１…無線アナログ部、３０２…デジタル信号処理部、３０３…回線インタフェース部、３０４…呼処理部、３１０…プロセッサ、３１１…プログラム格納メモリ、３１２…基地局情報データベース、
（呼処理制御装置）４００…回線インタフェース、４０１…呼処理部、４１０…プロセッサ、４１１…プログラム格納メモリ、４１２…ページングエリア情報データベース、４１３…基地局情報データベース、４１４…加入者情報データベース
（ＯＡＭ装置）５００…回線インタフェース、５０１…呼処理部、５１０…プロセッサ、５１１…プログラム格納メモリ、５１２…移動機追跡処理条件データベース、５１３…移動機位置情報データベース、無線通信システム種別データベース５１４、
【図１】
2011166639.tif 000003
【図２】
2011166639.tif 000004
【図３】
2011166639.tif 000005
【図４】
2011166639.tif 000006
【図５】
2011166639.tif 000007
【図６】
2011166639.tif 000008
【図７】
2011166639.tif 000009
【図８】
2011166639.tif 000010
【図９】
2011166639.tif 000011
【図１０】
2011166639.tif 000012
【図１１】
2011166639.tif 000013
【図１２】
2011166639.tif 000014
【図１３】
2011166639.tif 000015
【図１４】
2011166639.tif 000016
【図１５】
2011166639.tif 000017
【図１６】
2011166639.tif 000018